(57)【要約】【課題】  ポテンションメータとダンサーアームの組み合わせによる連続用紙繰り出し装置において、下流の工程に引っ張られダンサーアームが跳ね上がり、連続用紙が急激に繰り出され飛び出しても、スムーズな流れを損なうことのない連続用紙供給装置を提供する。【解決手段】  ピントラクタＰからなる駆動手段ＫとダンサーアームＡの先端に設けたローラＲの前後に渡り飛び出し防止部材Ｂを設ける。【選択図】図３
2007297206.tif 000002
【特許請求の範囲】
【請求項１】
連続用紙を連続的に繰り出す供給装置において、積載された連続用紙をピントラクタにより搬送する駆動手段と、前記駆動手段と連結したポテンションメータを備えたダンサーアームにより前記連続用紙を繰り出す速度を調節する速度調節手段からなる連続用紙の供給装置であって、前記駆動手段のピントラクタと速度調節手段のダンサーアーム下部に設けられたローラの前後に渡って用紙飛び出し防止部材が設けられたことを特徴とした連続用紙の供給装置。
【発明の詳細な説明】
【技術分野】
【０００１】  本発明は、ビジネスフォーム印刷等で使用される、マージナル孔を有する連続用紙をピントラクタからなる駆動手段で繰り出す、連続帳票等の連続用紙の給紙装置に関する。
【背景技術】
【０００２】  従来ビジネスフォーム印刷及びその関連機器は、マージナル孔を有する連続用紙を使用して任意の加工を施す。その際加工工程の最上流に連続用紙の供給装置を配置し、そこから連続的に繰り出される用紙を下流の加工装置へ送り込み任意の加工を行う流れが通常行われている。従って、前記最上流に配置される連続用紙の供給装置が首尾良く機能しなければ、下流の加工装置は能力を充分に発揮することが出来ず効率が上がらない。【０００３】  前記連続用紙の供給装置として、例えば連続用紙をスリッターにより連続的に切断したり、マージナル部分を切り落としながら下流の工程に連続用紙を繰り出し供給するインタースタッカがある。
従来のインタスタッカは、例えば図１に示すように、左側の用紙載せ台に積載された連続用紙Ｓを、上方に配置されたピントラクタＰを備えた駆動装置Ｋにより、支点Ｏを中心に回転運動可能に設置されたダンサーアームＡを通過して右側下流の工程へ送り出す。そして右側下流の工程速度が速くなれば、インタースタッカＶのダンサーアームＡが連続用紙Ｓの張力により反時計回りに持ち上げられる。そうするとダンサーアームＡの支点Ｏに設けられているポテンションメータＭが反応し、ピントラクタＰからなる駆動手段Ｋの速度を上げることによりインタースタッカＶの連続用紙繰り出し速度と下流の工程の搬送速度を同調させていた。
【発明の開示】
【発明が解決しようとする課題】
【０００４】  前記従来のインタースタッカでは、ダンサーアームＡの重量を軽くすれば、支点Ｏを中心とした回転運動が軽やかになり下流の速度に素早く反応する。しかしダンサーアームＡが軽いと容易に連続用紙Ｓの張力により持ち上げられてしまうため（場合によっては跳ね上げられてしまう）、インタースタッカＶから連続用紙Ｓが必要以上に繰り出されてしまい、そのためだぶついた連続用紙Ｓが図１（Ｂ）に示すように、ダンサーアームＡの下方に溜まりダンサーアームＡを持ち上げたままの状態になってしまう。そうすると次から次へと連続用紙Ｓが繰り出され暴走状態になってしまうのである。逆にダンサアームＡの重量を十分重たくしてダンサーアームＡが簡単に持ち上がらないようにしておけば、連続用紙Ｓは小刻みに繰り出されて暴走することはなくなる。しかしそうすると、重たいダンサーアームＡの重量が下流の工程に対してバックテンションとなり連続用紙Ｓの流れにブレーキを掛けるため、下流の工程に設置されている用紙搬送用のピントラクタ等から連続用紙Ｓが脱落してしまう脱ピン状態等を引き起こす。
装置を操作するオペレータとしては、下流の速度に素早く反応すると共に連続用紙の暴走がない装置を使用したいところである。
【課題を解決するための手段】
【０００５】  上記課題を解決するために本発明の連続用紙の供給装置は、連続用紙を連続的に繰り出す供給装置において、積載された連続用紙をピントラクタにより搬送する駆動手段と、前記駆動手段と連結したポテンションメータを備えたダンサーアームにより前記連続用紙を繰り出す速度を調節する速度調節手段からなる連続用紙の供給装置であって、前記駆動手段のピントラクタと速度調節手段のダンサーアーム下部に設けられたローラの前後に渡って用紙飛び出し防止部材が設けられたことを特徴としている。【０００６】  前記飛び出し防止部材の材質は天然樹脂、合成樹脂、金属、布（紐）、紙、セラミック等を単体で、或いは混合して使用できる。また連続用紙の飛び出しを駆動装置とダンサーアーム先端のローラまでの間で半強制的に押さえるために、ひも状や帯状或いは網状などの形状を選択することができるが必ずしもそれらに限定されるものではない。
【発明の効果】
【０００７】  本発明の連続用紙の供給装置によれば、ダンサーアームが持ち上がる際に繰り出される連続用紙を、飛び出し防止部材がスムーズにダンサーアーム先端に設けられたローラの下方へと押し下げてくれる。従って連続用紙が滞ることなく下流の工程へ搬送されるのでストレスなく下流の加工工程を通過することができる。
【発明を実施するための最良の形態】  図１（Ａ）は従来のインタースタッカの要部概念図である。（Ｂ）は従来のインタースタッカにおける連続用紙の暴走状態を示す要部概念図である。図２及び図３は本発明の飛び出し防止部材を備えたインタースタッカの要部概念図及び斜視図である。図４、図５、及び図６は飛び出し防止部材のバリエーションを示すインタースタッカの正面図である。
以下図面に沿って本発明を詳細に説明する。【０００８】  図２及び図３に示すように、インタースタッカＶの左側の紙載せ台に積載された、両側端にマージナル孔Ｑを有する連続用紙Ｓは、右上方に設置された駆動手段ＫのピントラクタＰにより引き上げられ、その後ダンサーアームＡ先端のローラＲの下方をくぐり抜けて下流の工程へ繰り出される。この際飛び出し防止部材Ｂが連続用紙Ｓの表面側を適度に押さえているため、仮に下流の工程の速度が急に上がり連続用紙Ｓが引っ張られてアームＡを不意に跳ね上げたとしても、急速に繰り出された連続用紙Ｓは飛び出し防止部材Ｂにその飛び出しを抑制されると共に、飛び出し防止部材Ｂの形状に沿ってアームＡ下方のローラＲへと速やかに送り出される。従って、連続用紙Ｓが停滞して図２に示すようなアームＡを持ち上げた状態になることはなく連続繰り出しがストレスなく行われる。【０００９】  本発明は上記実施例に限定されるものではない。例えば実施例等ではインタースタッカを例に本発明を説明しているが、それ以外の連続用紙を繰り出す機構を有するオートフィーダ等に適用できることは言うまでもない。
また、飛び出し防止部材の構成は実施例の他に、例えば図４に示すように、複数の部材から構成されていてもよく、さらに図５及び図６に示すように、ロープ状の形態やネット状の形態であっても構わない。
さらにまた、飛び出し防止部材の長さは、各図に示すように、ローラ部分を越える長さであっても（この場合実施例の図中にあるように用紙と共にローラ部分で折り返される）またローラ部分に届かない短い長さでも構わない。
【産業上の利用可能性】
【００１０】  ポテンションメータとダンサーアーム等の組み合わせからなる各種シート等繰り出し装置に幅広く適用することができる。
【図面の簡単な説明】
【００１１】
【図１】  （Ａ）は従来のインタースタッカの要部概念図、（Ｂ）は従来のインタースタッカにおける連続用紙の暴走状態を示す要部概念図である。
【図２】  本発明の飛び出し防止部材を備えたインタースタッカの要部概念図。
【図３】  本発明の飛び出し防止部材を備えたインタースタッカの斜視図。
【図４】  飛び出し防止部材のバリエーションを示すインタースタッカの正面図である。
【図５】  飛び出し防止部材のバリエーションを示すインタースタッカの正面図である。
【図６】  飛び出し防止部材のバリエーションを示すインタースタッカの正面図である。
【符号の説明】
【００１２】Ｓ  連続用紙
Ｋ  駆動装置
Ｐ  ピントラクタ
Ｍ  ポテンションメータ
Ａ  アーム
Ｒ  ローラ
Ｂ  飛び出し防止部材
Ｖ  インタースタッカ
Ｏ  支点
Ｑ  マージナル孔
【図１】
2007297206.tif 000003
【図２】
2007297206.tif 000004
【図３】
2007297206.tif 000005
【図４】
2007297206.tif 000006
【図５】
2007297206.tif 000007
【図６】
2007297206.tif 000008